(57)【要約】【課題】ハンディーかつ安全に下ろくろを固定し、傘が開いた状態を安定させる傘具開傘掛止構造を提供する。【解決手段】傘具開傘掛止構造は、中棒１、下ろくろ２、上ろくろ５及び傘骨を備える。中棒１は内管１１と、内管１１に嵌合された下スリーブ１２とを含む。内管１１は中棒１の上端部に位置し、中棒１の下スリーブ１２又は内管１１上に肩部１３が形成される。下ろくろ２の下端部には下延伸部２１が設けられる。下延伸部２１には弾性掛止部材３が取り付けられる。弾性掛止部材３は中棒１上の肩部１３に係止されて傘の開状態を安定させる掛止部３１を有する。下延伸部２１には可動ハンドル４が配設される。可動ハンドル４の内側には、弾性掛止部材３を作用させて掛止部３１を肩部１３の内縁へ掛止させ、可動ハンドル４を押したり引いたりすることで、弾性掛止部材３の掛止部３１と肩部１３とを係合又はリリースし、傘の開閉操作を行う。【選択図】図１
0003189032.tif 000002
【実用新案登録請求の範囲】
【請求項１】
中棒、下ろくろ、上ろくろ及び傘骨を備えた傘具開傘掛止構造であって、
前記中棒は、内管と、前記内管に嵌合された下スリーブと、を含み、前記内管は、前記中棒の上端部に位置し、前記中棒の前記下スリーブ又は前記内管上に肩部を有し、
前記下ろくろの下端部には、下延伸部を有し、前記下延伸部には、弾性掛止部材を有し、前記弾性掛止部材は、前記中棒上の前記肩部に掛止されて傘の開状態を安定させる掛止部を有し、
前記下延伸部には、可動ハンドルを有し、前記可動ハンドルの内側には、前記弾性掛止部材を介して前記掛止部を前記肩部の内縁へ係止し、前記可動ハンドルを押したり引いたりすると、前記弾性掛止部材の前記掛止部と前記肩部とが係合又はリリースし、傘の開閉操作を行うことを特徴とする傘具開傘掛止構造。
【請求項２】
前記中棒上の前記肩部は、前記下スリーブの上端に位置し、
前記肩部の外径は、前記下ろくろの中孔内径に等しいことを特徴とする請求項１に記載の傘具開傘掛止構造。
【請求項３】
前記肩部は、閉じられたリング状であり、
前記下スリーブ上には、リング状ブロックが嵌合することを特徴とする請求項２に記載の傘具開傘掛止構造。
【請求項４】
前記肩部は、閉じられたリング状であり、
前記下スリーブの上端に形成されたヘッド部は、径方向で一体拡張することを特徴とする請求項２に記載の傘具開傘掛止構造。
【請求項５】
前記肩部は、前記下スリーブの上端を覆って固定する１つ、２つ又は３つ以上のリング状ブロックであることを特徴とする請求項２に記載の傘具開傘掛止構造。
【請求項６】
前記肩部は、前記下スリーブの上端に位置する前記ヘッド部が径方向で一体拡張する１つ、２つ又は３つ以上のリング状ブロックであることを特徴とする請求項２に記載の傘具開傘掛止構造。
【請求項７】
前記中棒上の前記肩部は、前記内管上に位置し、
前記肩部は、前記内管の一部が内側に凹んで形成さると、前記中棒の外周に１つ、２つ又は３つ以上の前記弾性掛止部材を有し、前記弾性掛止部材のそれぞれは、角度の違いに応じて前記中棒の前記肩部に掛止することを特徴とする請求項１に記載の傘具開傘掛止構造。
【請求項８】
前記中棒上の前記肩部は、前記内管上に位置し、
前記肩部は、前記内管の一部が凹部に形成されると、前記中棒の外周に１つ、２つ又は３つ以上の前記弾性掛止部材を有し、前記弾性掛止部材のそれぞれは、角度の違いに応じて前記中棒の前記肩部に掛止することを特徴とする請求項１に記載の傘具開傘掛止構造。
【請求項９】
前記可動ハンドルは、滑合構造であり、
前記弾性掛止部材は、フック構造であり、
傘の開操作時、前記可動ハンドルの前記内縁は下から上方向へかけて摺動し、前記弾性掛止部材の前記掛止部に圧入し、前記中棒上の前記肩部に前記掛止部が掛止し、
傘の閉操作時、前記可動ハンドルは下方へ引っ張られ、前記弾性掛止部材の前記掛止部が弾性作用により外方へ撥ね出すことを特徴とする請求項１に記載の傘具開傘掛止構造。
【考案の詳細な説明】
【技術分野】
【０００１】
本考案は、傘具に関し、特に、傘具開傘掛止構造に関する。
【背景技術】
【０００２】
従来技術において、傘具の開操作を行う際、下ろくろを中棒に沿って上方へ移動させ、傘骨を推し動かして開く。手動傘具は、下ろくろが上方へ移動して位置決めされると開傘状態に維持され、使用することができる。一般の手動傘具は、中棒上に設けられたハジキにより下ろくろを支える。しかしこの構造の場合、実際に使用する際に手でハジキを押圧して傘の閉操作を行わなければならず、手部が怪我をし易く安全ではなかった。
【０００３】
折畳み式傘の中棒は、中棒の内管上に傘具が配設され、中棒の内管の直径が小さめであり、下ろくろの中孔との間に大き目の間隙が形成されているため、傘を開操作して使用する際、下ろくろが揺れて傘具の使用に悪影響を与える虞がある。
【０００４】
そのため、従来技術の傘の掛止構造の欠点及び不都合に鑑みて改良された傘具開傘掛止構造が求められていた。以下で述べる傘具開傘掛止構造は、本出願人が既に出願した特許文献１に基づく改良案である。
【先行技術文献】
【特許文献】
【０００５】
【特許文献１】中国特許第２００９２０２６２０４３．１号公報
【考案の概要】
【考案が解決しようとする課題】
【０００６】
本考案の目的は、ハンディーかつ安全に下ろくろを固定し、開傘状態を安定させる傘具開傘掛止構造を提供することにある。
【課題を解決するための手段】
【０００７】
上記課題を解決するために、本考案の第１の形態によれば、中棒、下ろくろ、上ろくろ及び傘骨を備えた傘具開傘掛止構造であって、前記中棒は、内管と、前記内管に嵌合された下スリーブと、を含み、前記内管は、前記中棒の上端部に位置し、前記中棒の前記下スリーブ又は前記内管上に肩部が形成され、前記下ろくろの下端部には、下延伸部が設けられ、前記下延伸部には、弾性掛止部材が取り付けられ、前記弾性掛止部材は、前記中棒上の前記肩部に掛止されて傘の開状態を安定させる掛止部を有し、前記下延伸部には、可動ハンドルが配設され、前記可動ハンドルの内側には、前記弾性掛止部材を作用させて前記掛止部を前記肩部の内縁へ係止させ、前記可動ハンドルを押したり引いたりすることで、前記弾性掛止部材の前記掛止部と前記肩部とを係合又はリリースし、傘の開閉操作を行うことを特徴とする傘具開傘掛止構造が提供される。
【０００８】
前記中棒上の前記肩部は、前記下スリーブの上端に形成され、前記肩部の外径は、前記下ろくろの中孔内径に等しいことが好ましい。
【０００９】
前記肩部は、閉じられたリング状に形成され、前記下スリーブ上には、リング状ブロックが嵌合されることが好ましい。
【００１０】
前記肩部は、閉じられたリング状に形成され、前記下スリーブの上端に形成されたヘッド部は、径方向で一体拡張することが好ましい。
【００１１】
前記肩部は、前記下スリーブの上端を覆って固定する１つ、２つ又は３つ以上のリング状ブロックであることが好ましい。
【００１２】
前記肩部は、前記下スリーブの上端に形成された前記ヘッド部が径方向で一体拡張された１つ、２つ又は３つ以上のリング状ブロックであることが好ましい。
【００１３】
前記中棒上の前記肩部は、前記内管上に形成され、前記肩部は、前記内管の一部が内側に凹んで形成されている場合、前記中棒の外周に１つ、２つ又は３つ以上の前記弾性掛止部材が設けられ、前記弾性掛止部材のそれぞれは、角度の違いに応じて前記中棒の前記肩部に掛止されることが好ましい。
【００１４】
前記中棒上の前記肩部は、前記内管上に形成され、前記肩部は、前記内管の一部が凹部に形成されている場合、前記中棒の外周に１つ、２つ又は３つ以上の前記弾性掛止部材が設けられ、前記弾性掛止部材のそれぞれは、角度の違いに応じて前記中棒の前記肩部に掛止されることが好ましい。
【００１５】
前記可動ハンドルは、滑合方式であり、前記弾性掛止部材は、フック形式であり、傘の開操作を行う際、前記可動ハンドルの前記内縁が下から上方向へかけて摺動されて前記弾性掛止部材の前記掛止部に圧入され、前記中棒上の前記肩部に前記掛止部が掛止され、傘の閉操作を行う際、前記可動ハンドルを下方へ引っ張り、前記弾性掛止部材の前記掛止部が弾性作用により外方へ撥ね出されることが好ましい。
【考案の効果】
【００１６】
本考案の傘具開傘掛止構造は、従来技術と比べ、中棒の下スリーブ又は内管上に肩部を形成し、肩部に下ろくろ上の弾性掛止部材が掛止され、傘を安定的に開いた状態に維持し、弾性掛止部材が可動ハンドルにより制御されるため以下（１）〜（３）の長所を有する。
（１）肩部に下ろくろ上の弾性掛止部材が掛止されて下ろくろが下方へ摺動することを防いで、傘を安定的に開いた状態にするとともに、ハジキを設置する必要がないため、構造が簡素で製作が容易であり、製品の構成が良好である。
（２）肩部の外径が下ろくろの中孔の内径に等しく、複数の弾性掛止部材によりそれぞれ異なる角度に応じて中棒上に掛止された肩部により中棒を支えるため、開傘状態で使用する際、間隙を減らして傘が開いた状態を下ろくろにより維持して使用することができる。
（３）ハジキを配設する必要が無く、手を使用して押圧しなくともよいため、手部が怪我をする危険性を無くし、傘の開閉操作を安全かつ容易に行うことができる。
【図面の簡単な説明】
【００１７】
【図１】図１は、本考案の一実施形態に係る傘具開傘掛止構造をリリースしたときの状態を示す斜視図である。
【図２】図２は、図１の掛止構造を示す斜視図である。
【図３】図３は、図１の下ろくろ、可動ハンドル及び弾性掛止部材を示す分解斜視図である。
【図３−１】図３−１は、弾性掛止部材の他の実施形態を示す斜視図である。
【図４】図４は、本考案の他の実施形態に係る傘具開傘掛止構造をリリースしたときの状態を示す斜視図である。
【図４−１】図４−１は、図４の部分拡大図である。
【図５】図５は、本考案の一実施形態に係る肩構造の第１の態様を示す斜視図である。
【図６】図６は、本考案の一実施形態に係る肩構造の第２の態様を示す斜視図である。
【図７】図７は、本考案の一実施形態に係る肩構造の第３の態様を示す斜視図である。
【図８】図８は、本考案の一実施形態に係る肩構造の第４の態様を示す斜視図である。
【図９】図９は、本考案の一実施形態に係る肩構造の第５の態様を示す断面図である。
【図１０】図１０は、本考案の一実施形態に係る肩構造の第６の態様を示す断面図である。
【図１１】図１１は、本考案の一実施形態に係る多数の弾性掛止部材が肩構造に掛止されたときの状態を示す模式図である。
【図１２】図１２は、本考案の一実施形態に係る傘具開傘掛止構造を４つの折畳み傘へ応用するときの状態を示す模式図である。
【図１２−１】図１２−１は、図１２の部分拡大図である。
【図１３】図１３は、本考案の一実施形態に係る傘具開傘掛止構造を２つの折畳み傘へ応用するときの状態を示す模式図である。
【図１３−１】図１３−１は、図１３の部分拡大図である。
【図１４】図１４は、本考案の一実施形態に係る傘具開傘掛止構造を偏心傘へ応用するときの状態を示す模式図である。
【考案を実施するための形態】
【００１８】
以下、本考案の実施形態について図に基づいて説明する。なお、これによって本考案が限定されるものではない。
【００１９】
図１〜図１４を参照する。図１〜図１４に示すように、本考案の一実施形態に係る傘具開傘掛止構造は、少なくとも中棒１、下ろくろ２、上ろくろ５及び傘骨から構成される。中棒１は、内管１１と、内管１１に嵌合された下スリーブ１２と、を含む。内管１１は、中棒１の上端部に位置し、中棒１の下スリーブ１２又は内管１１上に肩部１３が形成される。下ろくろ２の下端部には、下延伸部２１が設けられる。下延伸部２１上には、弾性掛止部材３が取り付けられる。図３及び図３−１に示すように、弾性掛止部材３は、中棒１上の肩部１３に掛止して傘の開状態を安定させる掛止部３１と、下延伸部２１上に固定する位置決め部３２と、を有する。位置決め部３２は、カシメ、圧合又は接着方式により下延伸部２１に固設される。本実施形態の弾性掛止部材３は、フック形式である。弾性掛止部材３の掛止部３１の上側面には、傘を開操作するときに掛止したり、傘を閉操作するときにリリースしたりする際に用いる傾斜が形成されている。弾性掛止部材３は、金属片、プラスチック体、鋼線など、弾性を備えて製作が容易で安価な材料からなってもよい。傘を閉操作する際、弾性掛止部材である掛止部３１を上方へ変位させる。可動ハンドル４は、下ろくろ２の下延伸部２１上に配設され、可動ハンドル４の内側には、弾性掛止部材３を作用させて掛止部３１を肩部１３の内縁４１へ掛止させる。この構成により、可動ハンドル４を押したり引いたりするだけで、弾性掛止部材の掛止部と肩部１３とを係合させたりリリースしたりして傘の開閉操作を行う。本実施形態の可動ハンドル４は、滑合方式であり、傘の開操作を行う際、可動ハンドル４を上方へ推すと、下ろくろ２と、下ろくろ２上に取り付けられた傘骨とが上方へ移動して開傘し、可動ハンドル４の内縁４１を下から上方向へかけて摺動させて弾性掛止部材３の掛止部３１に圧入し、中棒１上の肩部１３へ掛止部３１を掛止し、傘の開操作を行う。傘の閉操作を行うときは、可動ハンドル４を下方へ引っ張り、可動ハンドル４の内縁４１から弾性掛止部材３の掛止部３１をリリースし、下延伸部２１には、弾性掛止部材３の内側に当接される当接部２１１が設けられる。当接部２１１は、弾性掛止部材３により内から外方へ撥ね出す弾性力を有し、弾性掛止部材３により傘の閉操作を行う際、弾性掛止部材３自身が有する弾性作用により外側に撥ね出され、掛止された状態を解除して傘の閉操作を行う。
【００２０】
図４及び図４−１を参照する。図４及び図４−１に示すように、本考案の一実施形態に係る傘具開傘掛止構造は、可動ハンドル４の対応部位の内側には、弾性掛止部材３により傘を閉操作するときに位置決めに用いる方形孔４２が形成されている。傘の閉操作を行う際、可動ハンドル４を引っ張って下げると、可動ハンドル４の内縁４１が弾性掛止部材３の掛止部３１からリリースされ、弾性掛止部材３が当接部２１１により押圧されるため、弾性掛止部材3自身が有する弾性作用により外方へ押され、方形孔４２の空間を介して弾性掛止部材３が外方へ撥ね出され、掛止状態が解除されて傘の閉操作を行う。本考案の一実施形態に係る傘具開傘掛止構造は、可動ハンドル４を容易に製作し、体積が縮小されるため、傘骨を便利に畳むことができる上、弾性掛止部材３が可動ハンドル４の外側へ突出されることがないため安全に使用することができる。
【００２１】
図５〜図８を参照する。図５〜図８に示すように、上述した中棒１上の肩部１３は、下スリーブ１２の上端に配設され、肩部１３の外径が下ろくろ２の中孔内径に等しく、肩部１３が嵌合されて下ろくろ２の中孔内壁に当接されるため、間隙が小さくなって下ろくろ２の安定性が高まり、傘を開操作して使用することができ、傘具の使用性能が高まって下ろくろ２が不用意に揺れることがない。図５〜図８に示すように、上述の肩部１３を閉じられたリング状に形成し、リング状ブロックを下スリーブ１２上へ嵌合させて製作したり、閉じられたリング状に形成して下スリーブ１２の上端ヘッド部を径方向で一体拡張し、１つ、２つ又は３つ以上のリング状ブロックにして下スリーブ１２の上端を覆って固定したり、更には１つ、２つ又は３つ以上のリング状ブロックにしたりし、このリング状ブロックを下スリーブ１２の上端ヘッド部により径方向で一体拡張してもよい。これらの構造は、肩部１３により従来のハジキを代替し、中棒１の内管に開孔を形成する必要がなく、中棒１の内管を完全に維持して構造強度を高め、折れることを防ぐ。実際に使用する際、手を用いてハジキを押圧し、傘の開操作を行って安全かつ容易に使用することができる。
【００２２】
図９及び図１０を参照する。図９及び図１０に示すように、中棒１上の肩部１３は、内管１１上に設置され、肩部１３が内管１１の一部により引き込まれて形成されるか、内管１１の一部に凹部が形成され、肩部１３に弾性掛止部材３の掛止部３１が掛止されて傘の開操作を行うことができる。この際、中棒１の内管１１の外径が下ろくろ２の中孔より小さいため、開傘状態を安定させることができる。図１１に示すように、中棒１の外周には、１つ、２つ又は３つ以上の弾性掛止部材３が設けられ、弾性掛止部材３が異なる角度に応じて中棒１上の肩部１３にそれぞれ掛止され、弾性掛止部材３の違いに応じて当接させ、下ろくろ２が不用意に揺れることを防ぎ、間隙を減らして下ろくろを安定させ、傘具の使用性能を高める。
【００２３】
図１及び図２に示すように、傘の開操作の安定性を高めるために、本実施形態では上ろくろ５に下突起部５１を設けるとともに、下ろくろ２に上延伸部２２を設け、傘の開操作を行う際、上延伸部２２を上ろくろ５の下突起部５１に嵌合させて開傘状態を安定させ、下ろくろ２が不用意に揺れることを防ぐ。
【００２４】
図１２、図１２−１、図１３及び図１３−１に示すように、本考案の傘具開傘掛止構造は、２つ折り、３つ折り又は４つ折り以上の折畳み傘に応用したり、図１４に示すように、偏心傘具に応用したりしてもよい。実際に使用する際、可動ハンドル４を上方へ押して弾性掛止部材３の掛止部３１を中棒１の肩部１３上に掛止させて傘の開操作を行うことができ、可動ハンドル４を下方へ引っ張ると、弾性掛止部材３の掛止部３１と中棒１上の肩部１３との掛止状態がリリースされ、傘の開操作を行うことができる。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１      中棒
２      下ろくろ
３      弾性掛止部材
４      可動ハンドル
５      上ろくろ
１１    内管
１２    下スリーブ
１３    肩部
２１    下延伸部
２２    上延伸部
３１    掛止部
３２    位置決め部
４１    内縁
４２    方形孔
５１    下突起部
２１１  当接部
【図１】
0003189032.tif 000003
【図２】
0003189032.tif 000004
【図３】
0003189032.tif 000005
【図３−１】
0003189032.tif 000006
【図４】
0003189032.tif 000007
【図４−１】
0003189032.tif 000008
【図５】
0003189032.tif 000009
【図６】
0003189032.tif 000010
【図７】
0003189032.tif 000011
【図８】
0003189032.tif 000012
【図９】
0003189032.tif 000013
【図１０】
0003189032.tif 000014
【図１１】
0003189032.tif 000015
【図１２】
0003189032.tif 000016
【図１２−１】
0003189032.tif 000017
【図１３】
0003189032.tif 000018
【図１３−１】
0003189032.tif 000019
【図１４】
0003189032.tif 000020